(57)【要約】      （修正有）【課題】美観に優れるように、靴下を包装及び陳列できる包装資材を提供する。【解決手段】包装資材２は、足形台紙３０と、靴下１０を装着した足形台紙が係止ピン３により係止される背板２０とを含み、陳列ピンに吊下げられた状態において、靴下の踵部１１と爪先部１２とが略水平方向に並ぶ。【選択図】図１
0003203977.tif 000002
【実用新案登録請求の範囲】
【請求項１】
物品を吊下げて陳列するための陳列ピンに吊下げ可能な、靴下の包装資材であって、
足の側面形状を有する型板と、
前記靴下を装着した前記型板が、係止具により係止される背板と、を含み、
前記陳列ピンに吊下げられた状態において前記靴下の踵部と爪先部とが略水平方向に並ぶことを特徴とする包装資材。
【請求項２】
前記背板は、前記陳列ピンに係止可能な吊下げ部を含み、
前記陳列ピンに吊下げられた状態において前記踵部と前記爪先部とが前記略水平方向に並ぶ重量配分となる位置に、前記吊下げ部が設けられていることを特徴とする請求項１に記載の包装資材。
【請求項３】
前記型板には、前記係止具を貫通させる貫通孔が設けられており、
前記貫通孔の位置及び面積により、前記型板の重量配分が調整されていることを特徴とする請求項２に記載の包装資材。
【請求項４】
前記貫通孔は、第１貫通孔と、前記第１貫通孔よりも面積が大きい第２貫通孔とを含み、
前記第２貫通孔は、第１貫通孔に対して、前記型板の爪先側に位置していることを特徴とする請求項３に記載の包装資材。
【請求項５】
前記型板には、靴の履き口部分の側面形状を模した開口部曲線が設けられていることを特徴とする請求項１から４の何れか１項に記載の包装資材。
【請求項６】
前記型板の曲げ強度は、前記背板の曲げ強度よりも高いことを特徴とする請求項１から５の何れか１項に記載の包装資材。
【請求項７】
前記型板は、当該型板の外縁が前記背板の外縁の内側に位置するように、前記背板に係止されることを特徴とする請求項１から６の何れか１項に記載の包装資材。
【請求項８】
複数の前記型板が、前記背板の一方の面に係止されていることを特徴とする請求項１から７の何れか１項に記載の包装資材。
【請求項９】
複数の前記型板は、前記一方の面の面内方向に並ぶように係止されていることを特徴とする請求項８に記載の包装資材。
【請求項１０】
複数の前記型板は、前記一方の面の面外方向に重なるように係止されていることを特徴とする請求項８に記載の包装資材。
【請求項１１】
請求項１から１０の何れか１項に記載の包装資材により、前記靴下が包装された包装体。
【考案の詳細な説明】
【技術分野】
【０００１】
本考案は、靴下を包装する靴下の包装資材及び当該包装資材により靴下が包装された包装体に関する。
【背景技術】
【０００２】
昨今、素足で靴を履いているよう見せるため、丈が踝下までの靴下または足の甲を露出させる靴下（フットカバー）など、着用時に靴の内側に隠れて見えないような靴下が流行している。
【０００３】
このような甲の浅い靴下は、靴の中でずれたり脱げたりしやすいという問題がある。また、甲の浅い靴下を履いて、甲の深い靴を履いた場合、足の甲が靴の甲の裏側に直接触れるため、靴擦れや痛みが生じやすくなるという問題もある。
【０００４】
そのため、素足で靴を履いているように見せるために靴の内側に隠れるようにデザインされた靴下は、靴の開口部（履き口、トップライン）のサイズに合わせて、適切な履き口の形状を有するものを選ぶことが好ましい。
【０００５】
また、靴から靴下を見せるデザインの靴下を選ぶ際にも、靴を履いた状態でどのように見えるのか着用時のイメージを踏まえて、丈の長さや履き口の大きさから靴下を選ぶことが求められている。
【０００６】
ところが、靴下は、帯状資材で束ねるか、またはカードで挟んだ状態で、什器に陳列されることが多いため、靴下の履き口の形状及び模様など、デザインの確認が困難であった。
【０００７】
この問題を解決するために、特許文献１は、図８のように、足の側面形状の輪郭線１０３を切り欠いた足形片１０４が形成さられた保形台紙１０１を開示している。
【先行技術文献】
【特許文献】
【０００８】
【特許文献１】実公平２−１１６８５９公報（１９９０年０９月１９日公開）
【考案の概要】
【考案が解決しようとする課題】
【０００９】
しかしながら、特許文献１に開示の保形台紙１０１では、足形片１０４以外の部分（以降、周囲片）が足形片１０４の周囲にあるため、足形片１０４に靴下が装着しにくく、足形片１０４に靴下に装着する際、足形片１０４または周囲片を折り曲げてしまう恐れがあるという問題がある。
【００１０】
また、足形片１０４と周囲片とが１枚の台紙から形成されるため、求められる強度などに応じて、足形片１０４及び周囲片の厚みや材料を個別に変更することができないという問題がある。
【００１１】
さらに、足形片１０４には靴下が装着されるため、製品情報などを記載する記載スペースとして活用できる領域が周囲片のおもて面及び裏面のみであり、上記記載スペースが制限されるという問題がある。
【００１２】
本考案は、上述の問題点に鑑みてなされたものであり、その目的は、靴下を包装しやく、かつ必要な強度及び製品情報などを記載する記載スペースを好適に確保することが可能な靴下の包装資材、及び当該包装資材により靴下が包装された包装体を提供すること、にある。
【課題を解決するための手段】
【００１３】
上記の課題を解決するために、本考案に係る包装資材は、物品を吊り下げて陳列するための陳列ピンに吊下げ可能な、靴下の包装資材であって、足の側面形状を有する型板と、前記靴下を装着した前記型板が、係止具により係止される背板と、を含み、前記陳列ピンに吊下げられた状態において前記靴下の踵部と爪先部とが略水平方向に並ぶことを特徴とする。
【００１４】
上記構成によれば、型板と背板とは、別々に形成され、互いに係止される。このため、靴下を型板に装着しやすく、靴下を包装する際に、型板などを折り曲げてしまうことを抑制することができる。また、求められる強度などに応じて、型板及び背板の厚みや材料を個別に変更することができる。また、例えば、背板の一方の面に、靴下が装着された型板を係止することにより、背板の他方の面を、製品情報などを記載する記載スペースとして、有効活用することができる。
【００１５】
さらに、上記構成によれば、陳列ピンに吊下げられた状態において靴下の踵部と爪先部とが略水平方向に並ぶため、陳列時の美観に優れるとともに、実際に靴下を足に着用したときの状態に近づけて靴下を陳列することができる。したがって、靴下が当該包装資材により陳列された状態で、消費者に適切な着用イメージを想起させることができ、購入前と購入後とで着用イメージが異なることを防止できる。
【００１６】
したがって、上記構成によれば、靴下を包装しやく、かつ必要な強度及び製品情報などを記載する記載スペースを好適に確保することが可能な靴下の包装資材を実現することができる。
【００１７】
さらに、上記構成によれば、美観が優れ、かつ消費者に適切な着用イメージを想起させる陳列が可能な包装資材を実現することができる。
【００１８】
本考案に係る包装資材よれば、前記背板は、前記陳列ピンに係止可能な吊下げ部を含み、前記陳列ピンに吊下げられた状態において前記踵部と前記爪先部とが前記略水平方向に並ぶ重量配分（重量分布）となる位置に、前記吊下げ部が設けられていることが好ましい。
【００１９】
上記構成によれば、吊下げ部の位置を最適化することにより、陳列ピンに吊下げられた状態において靴下の踵部と爪先部とが略水平方向に並ぶように、靴下を容易に陳列することができる。
【００２０】
本考案に係る包装資材よれば、前記型板には、前記係止具を貫通させる貫通孔が設けられており、前記貫通孔の位置及び面積により、前記型板の重量配分（重量分布）が調整されていることが好ましい。
【００２１】
上記構成によれば、貫通孔は、係止具を型板に貫通させる機能と、型板の重量配分を調整する機能とを兼ねている。このため、係止具を型板に貫通させるための孔と、型板の重量配分を調整するための孔とを別々に形成する必要性がないため、型板に形成する貫通孔の数が低減することができ、型板の加工が容易になる。
【００２２】
本考案に係る包装資材によれば、前記貫通孔は、第１貫通孔と、前記第１貫通孔よりも面積が大きい第２貫通孔とを含み、前記第２貫通孔は、第１貫通孔に対して、前記型板の爪先側に位置していることが好ましい。
【００２３】
例えば甲の浅い靴下は履き口の大きくカットされているため、踵側に比べて爪先側が重くなる。上記構成によれば、第１貫通孔よりも面積が大きい第２貫通孔が型板の爪先側に位置しているため、型板の爪先側の重量が相対的に小さい重量配分となる。このため、このような型板を用いることにより、型紙を陳列ピンに吊下げられた状態において踵部と爪先部とが略水平方向に並ぶような重量配分を実現しやすくなる。
【００２４】
本考案に係る包装資材によれば、前記型板には、靴の履き口部分の側面形状を模した開口部曲線が設けられていることが好ましい。
【００２５】
上記構成によれば、靴の履き口部分の側面形状を模した開口部曲線が、型板に設けられている。このため、靴の履き口に対する、靴下の履き口の位置及び形状を、消費者が視認しやすい。これにより、靴下の上に履く靴、靴下の着用の目的、または消費者の趣味に応じて、消費者は靴下を容易に選択できる。
【００２６】
本考案に係る包装資材によれば、前記型板の曲げ強度は、前記背板の曲げ強度より高いことが好ましい。
【００２７】
上記構成によれば、型板の曲げ強度は、背板の曲げ強度よりも高いため、靴下を型板に包装する際に、型板が折れ曲がることを抑制することができる。
【００２８】
本考案に係る包装資材によれば、前記型板は、当該型板の外縁が前記背板の外縁の内側に位置するように、前記背板に係止されることが好ましい。
【００２９】
上記構成によれば、背板の外縁から、靴下が装着された型板の外縁が飛び出さないようにすることが可能となる。このため、陳列時の美観に優れるとともに、型板の外縁及び型板に装着された靴下を、背板により保護することができる。
【００３０】
本考案に係る包装資材によれば、複数の前記型板が、前記背板の一方の面に係止されていることが好ましい。
【００３１】
上記構成によれば、複数の型板は、背板の一方の面に係止されるため、複数の型板を背板に係止する場合であっても、一方の面の反対の他方の面を、製品情報を記載する記載スペースとして活用することができる。また、複数の靴下を、１つの包装資材で纏めることができるので、靴下の纏め売りが容易になる。
【００３２】
本考案に係る包装資材によれば、複数の前記型板は、前記一方の面の面内方向に並ぶように係止されていることが好ましい。
【００３３】
上記構成によれば、複数の型板は、背板の一方の面の面内方向に並ぶため、消費者は一目で、複数の型板にそれぞれ装着された靴下のデザインを視認することができる。
【００３４】
本考案に係る包装資材によれば、複数の前記型板は、前記一方の面の面外方向に重なるように係止されていることも好ましい。
【００３５】
上記構成によれば、複数の型板は、背板の一方の面の面外方向に重なるため、複数の型板を背板に係止する場合であっても、１つの型板のみを係止するための背板を用いることができる。したがって、当該包装体を陳列するために必要な陳列スペースの増加を抑制することができる。
【００３６】
上記の課題を解決するために、本考案に係る包装体は、上述の包装資材により、前記靴下が包装された包装体であることを特徴とする。
【００３７】
上記構成によれば、靴下を包装しやく、かつ必要な強度及び製品情報などを記載する記載スペースを好適に確保することが可能な包装体を実現することができる。
【００３８】
さらに、上記構成によれば、美観が優れ、かつ消費者に適切な着用イメージを想起させる陳列が可能な包装体を実現することができる。
【考案の効果】
【００３９】
本考案に係る包装資材によれば、靴下を包装しやく、かつ必要な強度及び製品情報などを記載する記載スペースを好適に確保することが可能な靴下の包装資材及び包装体を提供することができるという効果を奏する。
【００４０】
さらに、本考案に係る包装資材によれば、美観が優れ、かつ消費者に適切な着用イメージを想起させる陳列が可能な靴下の包装資材及び包装体を提供することができるという効果を奏する。
【図面の簡単な説明】
【００４１】
【図１】本考案の実施形態に係る包装資材を用いた包装体を示す説明図である。
【図２】図１に示した包装体が陳列什器に吊下げられている状態を示す説明図である。
【図３】図１に示した包装資材に含まれる足形台紙を表側と裏側とから示す説明図である。
【図４】図１に示した包装資材に含まれる背板を表側と裏側とから示す説明図である。
【図５】図１に示した包装資材に含まれる（ａ）係止ピンと（ｂ）タグとを示す説明図である。
【図６】図１に示した包装資材の変形例であり、１枚の背板に対し複数の足形台紙を係止する構成を示す説明図である。
【図７】（ａ）は、図３に示した背板の変形例を示す説明図であり、（ｂ）は、図４に示した足形台紙の変形例を示す説明図である。
【図８】従来の保形台紙を示す説明図である。
【考案を実施するための最良の形態】
【００４２】
以下、本考案に係る包装資材の一実施形態について、図１〜図５に基づいて、詳細に説明する。
【００４３】
（包装体１）
図１は、本実施形態に係る包装資材２を用いた包装体１を示す説明図である。図１に示すように、靴下１０は着用時に鉛直になる面で畳まれて、足形台紙（型板）３０に装着されている。足形台紙３０は、靴下１０が装着された後、係止ピン３（係止具）により背板２０の背板本体２１の表側面（一方の面）に係止されている。
【００４４】
図２は、図１に示した包装体１が陳列什器４０に吊下げられている状態を示す説明図である。図２に示すように、包装資材２により靴下１０を包装した包装体１は、背板２０の吊下げ具（吊下げ部）２３により、陳列什器４０に取り付けられた陳列ピン４１に吊下げられる。包装体１が陳列ピン４１に吊下げられた状態において、靴下１０の爪先部１１と踵部１２とが略水平方向に並ぶように、靴下１０は、陳列される。換言すれば、靴下１０の足底部１３が略水平方向になるように、靴下１０は、陳列される。したがって、陳列時の靴下１０の向き（踵部１２と爪先部１１との位置関係）を、実際に靴下１０を履いた着用時の靴下１０の向き（踵部１２と爪先部１１との位置関係）に一致させることができる。
【００４５】
さらに、包装体１は、垂直方向に８個、水平方向に４個並ぶように、１つの陳列什器４０に３２個吊下げられている。これに対し、従来の包装資材により靴下が包装された包装体は、垂直方向に４個、水平方向に８個並ぶように、１つの陳列什器４０に３２個吊下げられる。従って、陳列スペースあたりに吊下げられることが可能な包装体１の数は、従来の包装体と同じである。また、陳列什器４０の陳列ピン４１の位置を変更するだけで、従来の包装体を吊下げていた陳列什器４０に、包装体１を吊下げることができる。
【００４６】
（足形台紙）
次に、実施形態の包装資材２の一構成要素である足形台紙３０について、図３に基づき説明する。
【００４７】
図３は、図１に示した包装資材２に含まれる足形台紙３０を表側と裏側とから示す説明図である。足形台紙３０は、足の側面形状であり、装着された靴下１０の張力に抗って真直ぐであるのに十分な曲げ強度を備える。このため、装着された靴下１０を保形することができる。足形台紙３０の材料は、十分な曲げ強度を備えればよく、例えば、厚紙、プラスチック、または樹脂を含浸した紙などでもよい。
【００４８】
足形台紙３０の外縁の一部、すなわち、靴下１０の甲がその上に履く靴の開口部（履き口）より浅い場合に靴下１０の履き口から露出する足形台紙３０の一部は、靴下１０の上に履く靴の開口部の部分（履き口部分）の側面形状を模した開口部曲線３３を含む。靴下１０の上に履く靴（スニーカー、ローファー及び、パンプス等）の種類は、靴下１０のデザインにより、特定の種類が想定され、靴の種類により、典型的な靴の開口部の側面形状は決まっている。このため、靴下１０の履き口１４が靴の開口部に対して、深いのか浅いのかが視認しやすい。また、靴の開口部からどのように靴下１０が見えるのかを想起しやすい。
【００４９】
足形台紙３０は、十分な曲げ強度を有する材料により形成されているため、係止ピン３を取り付けるための銃式取り付け具の針では貫きにくい。このため、足形台紙３０には、係止ピン３が貫通するために、爪先側に爪先側台紙貫通孔３１（貫通孔，第１貫通孔）が、踵側に踵側台紙貫通孔３２（貫通孔，第２貫通孔）が設けられている。
【００５０】
爪先側台紙貫通孔３１及び踵側台紙貫通孔３２は、靴下１０の爪先部１１と踵部１２とが略水平方向に並ぶように包装体１を吊下げるために、包装体１の重量配分を調整するための肉抜きの機能も兼ねている。足形台紙３０に装着された靴下１０の爪先部１１と踵部１２とが略水平方向に並ぶためには、爪先部１１と踵部１２とが水平方向に並ぶように包装体１が吊下げられたときの重力の方向に平行な、吊下げ係合孔２２を通る吊下げ軸Ａ上または近傍に、包装体１全体の重心が位置しなければならない。
【００５１】
このため、爪先側台紙貫通孔３１及び踵側台紙貫通孔３２の開口位置及び開口面積により、足形台紙３０の重量配分が調整されている。換言すれば、包装体１全体の重心位置が吊下げ軸Ａに近づくように、爪先側台紙貫通孔３１及び踵側台紙貫通孔３２の開口位置及び開口面積により、足形台紙３０の重量配分が設定されている。例えば、甲の浅い靴下１０を装着するための足形台紙３０は爪先側部分５が踵側部分６より大きい（つまり、爪先側台紙貫通孔３１及び踵側台紙貫通孔３２が無い場合、足形台紙３０の爪先側部分５は、踵側部分６より重い）。このため、爪先側台紙貫通孔３１及び踵側台紙貫通孔３２を吊下げ軸Ａから略等距離に設ける場合、爪先側部分５に位置する爪先側台紙貫通孔３１の開口面積を、踵側部分６に位置する踵側台紙貫通孔３２の開口面積より大きくすることにより、足形台紙３０の重量配分を調整することができる。
【００５２】
なお、包装体１においては、係止ピン３を通す爪先側台紙貫通孔３１及び踵側台紙貫通孔３２に加えて、タグ４の重量及び係止位置により、包装体１全体の重心位置を吊下げ軸Ａ上に位置するようにさらに調整してもよい。
【００５３】
（背板）
次に、実施形態の包装資材２の別の一構成要素である背板２０について、図４に基づき説明する。
【００５４】
図４は、図１に示した包装資材２に含まれる背板２０を表側と裏側とから示す説明図である。背板２０は、別々に形成された背板本体２１と吊下げ具２３とを含み、背板本体２１に設けられた吊下げ係合孔２２により、吊下げ具２３は背板本体２１と係合している。
【００５５】
背板本体２１において、靴下１０の製品情報などを記載する記載スペースとして、足形台紙３０と重ならない背板本体２１の表側面の一部と、裏側面（他方の面）全体とを活用することができる。なお、背板本体２１の表側面と裏側面とは、１枚の紙の表裏両面であっても、１枚の紙の片面が折られて表と裏とになった面でもよい。
【００５６】
例えば、背板本体２１の裏側面に、靴下１０の上に履くスニーカー（靴）の絵を印刷してもよい。これにより、背板本体２１の裏側面が消費者側を向くように包装体１を陳列ピン４１に吊下げることにより、包装体１の裏側面を靴下１０の販促物として用いることができる。このため、店頭において、包装体１の販促が容易に行うことができる。また例えば、靴下１０の素材または機能などを、背板本体２１の裏側面に大きく表示することにより、包装体１を手に取った消費者に強く訴求し、靴下１０を包装した包装体１の購入に繋げることができる。
【００５７】
陳列スペースあたりに陳列可能な製品数を増やすために、背板本体２１はなるべく小さく形成される。したがって、上記のように、背板本体２１の裏側面全体を記載スペースとして活用できることは、極めて有用である。
【００５８】
また、背板本体２１は、足形台紙３０と別に形成されており、背板本体２１自体には、靴下１０が装着されない。このため、背板本体２１の材料は、曲げ強度が弱くてもよい。
【００５９】
背板本体２１には、係止ピン３が貫通するための爪先側背板貫通孔２４及び踵側背板貫通孔２５と、が設けられている。これにより、係止ピン３が貫通するときに、背板本体２１の裏側面の美観を保つことができる。また、係止ピン３を背板本体２１に貫通させることが容易である。
【００６０】
背板本体２１の表側面には、靴下１０を履かせた足形台紙３０を係止する位置を示す目安となる案内線２６が設けられている。これにより、足形台紙３０を背板本体２１の表側面の所定位置に係止することが容易である。ただし、案内線２６を省略してもよい。
【００６１】
また、背板本体２１の形状は横長の長方形であり、背板本体２１の寸法は、紳士婦人用靴下のためには垂直長さＶが約１１．５ｃｍ、水平長さＨが２２．５ｃｍであり、子供用靴下のためには垂直長さＶが約１０．５ｃｍ、水平長さＨが約２２．０ｃｍである。このため、既存の陳列什器４０に、従来の包装資材を用いた包装体と同数の包装体１を吊下げることができる。また、背板本体２１の外縁が足形台紙３０より大きいため、足形台紙３０の外縁が背板本体２１の外縁の内側に位置するように、背板本体２１に足形台紙３０が係止される。
【００６２】
吊下げ具２３は、特に限定せず、一般的なものを用いてよく、吊下げ係合孔２２により、背板本体２１と係合している。また、吊下げ係合孔２２は、包装体１が陳列ピンに吊下げられた状態において靴下１０の爪先部１１と踵部１２とが略水平方向に並ぶような位置に、設けられている。具体的には、爪先部１１と踵部１２とが略水平方向に並ぶように、包装体１の重量分布を考慮して、吊下げ具２３と吊下げ係合孔２２とは、包装体１の中心線（背板本体２１の短辺の中間線）上に位置するように背板本体２１の長辺の中央部に設けられている。
【００６３】
なお、吊下げ具２３及び吊下げ係合孔２２の位置は、これに限らない。吊下げ具２３と吊下げ係合孔２２とは、包装体１が陳列ピンに吊下げられた状態において靴下１０の爪先部１１と踵部１２とが略水平方向に並ぶように、包装体１の重量を配分する位置に設けられていればよい。例えば、靴下１０の丈が踝丈以上の場合、踵部１２側が、爪先部１１側より重くなりがちなので、吊下げ係合孔２２は包装体１の中心線より靴下１０の踵部１２に近い位置に設けることが好ましい。
【００６４】
（係止ピンとタグ）
次に、実施形態の包装資材２の構成要素である係止ピン３とタグ４とについて、図５に基づき説明する。
【００６５】
図５は、図１に示した包装資材に含まれる係止ピン３とタグ４とを示す説明図である。係止ピン３は、図５（ａ）に示すように、一般的な係止ピンを用いており、詳細な説明を省略する。包装資材２においては、包装する靴下１０の厚さにより、靴下１０を装着した足形台紙３０と背板２０とを係止するのに適合した係止ピン３の長さが異なる。逆に言えば、係止ピン３の長さを変えるだけで、厚さの異なる靴下を、１種類の背板２０と足形台紙３０とにより包装することができる。また、係止ピン３による係止は、外すのに鋏などの器具が必要となる。このため、包装から販売までの途中で外れにくいため、好ましい。
【００６６】
タグ４は、係止ピン３が貫通するための貫通孔４´を備え、係止ピン３により、靴下１０を装着した足形台紙３０と共に、背板本体２１に係止されている。タグ４は、無くてもよく、タグ４の代わりにシールが靴下１０、足形台紙３０、または背板２０に貼られてもよい。また、タグ４は、複数であってもよく、足形台紙３０及び背板本体２１の一方のみに係止されてもよい。
【００６７】
１つまたは複数のタグ４は、包装体１全体の重心が吊下げ軸Ａ上または近傍に位置するように、係止されることが好ましい。例えば、甲が浅く履き口１４が大きい靴下１０の場合、包装体１の踵側部分６が軽くなるため、靴下１０の踵部１２と爪先部１１とが略水平方向に並ぶような重量配分になるように、タグ４は踵側部分６に係止されることが好ましい。特に、係止ピン３が踵側台紙貫通孔３２の中の任意の位置を貫通してタグ４を係止することで、包装体１全体の重心が吊下げ軸Ａ上または近傍に位置するようにバランスを取ることが好ましい。
【００６８】
また、例えば、甲の深いすなわち履き口１４が小さい靴下の場合、包装体１の踵側部分６が重くなるため、タグ４は爪先側部分５に係止されることが好ましい。特に、係止ピン３が爪先側台紙貫通孔３１の中の任意の位置を貫通してタグ４を係止することで、包装体１全体の重心が吊下げ軸Ａ上または近傍に位置するようにバランスを取ることが好ましい。
【００６９】
（効果）
本実施形態によれば、足形台紙３０と背板２０とは、別々に形成され、互いに係止される。このため、靴下１０を足形台紙３０に装着しやすく、靴下１０を包装する際に、足形台紙３０などを折り曲げてしまうことを抑制することができる。このため、包装資材２を用いて靴下１０を包装する作業が容易である。また、足形台紙３０と背板２０（背板本体２１）とを、互いに異なる材料、または同一材料を用いて異なる厚みで形成することができる。また、複数の足形台紙３０を１つの背板２０に係止することができる。また、背板の表側面に、靴下が装着された足形台紙３０を係止することにより、背板２０の裏側面を、製品情報などを記載する記載スペースとして、活用することができる。
【００７０】
また、本実施形態によれば、靴下１０が装着された足形台紙３０は、係止ピン３により背板本体２１に係止される。このため、異なる厚さの靴下１０を、係止ピン３の長さを変えることにより、同じ足形台紙３０と同じ背板本体２１とで包装することができる。また、異なる形状の靴下１０を、足形台紙３０の形状を変更することにより、包装することが可能な場合がある。したがって、靴下１０を包装するための包装資材の種類を減らすことができる。
【００７１】
また、本実施形態によれば、吊下げ具２３は、陳列ピン４１に吊下げられた状態において靴下１０の踵部１２と爪先部１１とが略水平方向に並ぶような位置に設けられる。したがって、包装体１を吊下げ具２３により陳列ピン４１に吊下げることにより、靴下１０の向き（踵部１２と爪先部１１との位置関係）が、着用時と陳列時とで同じである。したがって、消費者に適切な着用イメージを想起させることができ、購入前と購入後とで着用イメージが異なることを防止できる。また、陳列ピン４１に吊下げられて踝丈より短い靴下を陳列するための従来の包装資材とは、陳列時の靴下の向き（角度）が異なるため、目新しさにより消費者の注意を喚起できる。さらに、吊下げ具２３により吊下げられる包装資材２は、靴売り場において、靴が靴底を下側、側面を消費者側に向けて陳列棚に陳列されているように、靴下売り場において、靴下１０が足底部１３を下側、側面を消費者側に向けて陳列ピン４１に陳列することができる（図２参照）。このように、靴売り場の靴と同様に靴下１０を陳列することにより、靴下１０の上に靴を履いた時の着用イメージをより想起しやすくできる。このように、注意を喚起し、着用イメージを想起させることにより、靴下１０の購入を促進することができる。
【００７２】
これに対し、特許文献１に開示の保形台紙１０１は、靴下のレッグ部部分が略垂直になるように、靴下を陳列するため、靴下の爪先部の位置に対して踵部の位置が高くなり、陳列されたときに、その結果、足底部１３が略水平からかなり傾く。また、陳列ピンに吊下げられて踝丈より短い靴下を陳列するためのその他の従来の包装資材は、靴下の踵部と爪先部とが略垂直に並ぶように、靴下を陳列している。このため、従来の包装資材には、靴下の向きが、着用時と陳列時とで異なるという問題がある。これは、水平線よりも垂直線が長く見える（水平垂直錯視またはフィック錯視として知られる）ように、人間の視認は物の向きに左右されるため、消費者が靴下の着用イメージを誤認しやすいという問題を引き起こしていた。
【００７３】
また、本実施形態によれば、靴下１０を結束するための帯状資材またはカードにより靴下１０の一部を覆わなくてよいため、靴下１０のデザインを、特に靴下１０の爪先部１１から履き口１４までの長さＬを、明確に視認することができる。したがって、靴下１０の上に履く靴、靴下１０の着用の目的、または消費者の趣味に応じて、靴下１０の選択が容易である。
【００７４】
また、本実施形態によれば、靴下１０の上に履く靴の開口部の側面形状を模した開口部曲線３３が、足形台紙に設けられている。このため、靴の開口部に対する、靴下１０の履き口１４の位置及び形状を、消費者が視認しやすい。これにより、靴下１０の着用の目的、または消費者の趣味に応じて、消費者は靴下を容易に選択できる。
【００７５】
また、本実施形態によれば、足形台紙３０の曲げ強度は、背板本体２１の曲げ強度より高い。このため靴下１０を足形台紙３０に装着する際に、足形台紙３０を折り曲げてしまうことを抑制することができる。また、背板本体２１の形成に、曲げ強度が低く薄くて軽い材料を用いることができる。
【００７６】
また、本実施形態によれば、背板本体２１の外縁から、靴下１０が装着された足形台紙３０の外縁が飛び出さない。このため、足形台紙３０の外縁及び足形台紙３０に装着された靴下１０は、背板２０により保護される。また、１本の陳列ピン４１に、複数の包装体１を吊下げるときに、前方から見る消費者の目から、後段に吊下げられた包装体１を、前段に吊下げられた包装体１の背板２０は、隠す。これにより、消費者の目には、最前段に吊下げられた包装体１のみが見えるので、美観に優れるように包装体１を吊下げて、靴下１０を陳列することが可能になる。
【００７７】
以下に、本実施形態の変形例１〜５について、説明する。
【００７８】
（変形例１）
次に、本実施形態の変形例１について、図６（ａ）に基づき説明する。
【００７９】
図６（ａ）に示すように、１枚の背板本体２１の表側面に、靴下１０を装着した足形台紙３０を３つ、背板本体２１の面外方向に重ねるように、係止してもよい。足形台紙３０が重なるように背板本体２１に複数枚係止された包装体７を吊下げるために必要な陳列スペースは、足形台紙３０が背板本体２１に１枚係止された包装体１を吊下げるために必要な陳列スペースと同じである。したがって、包装体７は、複数の靴下１０纏め売りするのに適している。
【００８０】
また、１足の靴下１０の片足ずつが装着された２枚の足形台紙３０を、１枚の背板本体２１の表側面に重ねるように係止してもよい。１枚の足形台紙３０に１枚の靴下１０が装着されるため、張力の強い靴下及びかなり厚い靴下に、包装体７は適している。
【００８１】
また、記載スペースとして、背板本体２１の裏側面全体を用いることができなくなるが、背板本体２１の表側面と裏側面とに足形台紙３０をそれぞれ係止する（図示せず）ことも勿論可能である。
【００８２】
（変形例２）
次に、変形例２について、図６（ｂ）に基づき説明する。
【００８３】
図６（ｂ）に示すように、１枚の背板本体２１の表側面に、靴下１０を装着した足形台紙３０を３つ、背板本体２１の面内方向に並べるように、係止してもよい。靴下１０を装着した足形台紙３０が重ならずに並んでいるため、靴下１０のそれぞれのデザインを視認することができる。したがって、靴下１０を装着した足形台紙３０が並ぶように背板本体２１に係止された包装体８は、デザインの異なる複数の靴下の纏め売り、及び、仮設展示等に適している。また、背板本体２１は、曲げ強度の弱い紙で形成されているため、靴下１０を装着した足形台紙３０と共に背板本体２１を折り畳むことができる。
【００８４】
（変形例３）
次に、変形例３について、図を示さずに、説明する。
【００８５】
係止ピン３による係止の代わりに、ミシンを用いた糸止めにより、靴下１０を装着した足形台紙３０を背板本体２１に係止してもよい。係止ピン３による係止と同様に、ミシンを用いた糸止めによる係止も、外すのに鋏などの器具が必要となるため、好ましい。
【００８６】
（変形例４）
次に、変形例４について、図７（ａ）に基づき説明する。
【００８７】
図７（ａ）に示すように、吊下げ具２３の代わりに、背板本体２７の一部として、包装体９を吊下げるための吊下げ部２８を設けてもよい。吊下げ部２８は、鉤型（図７（ａ））であっても、孔型（図示せず）であってもよい。
【００８８】
（変形例５）
次に、変形例５について、図７（ｂ）に基づき説明する。
【００８９】
図７（ｂ）に示すように、足形台紙３４には、靴下１０の上に履く靴の開口部の側面形状を模した開口部曲線がなくてもよい。例えば、踝のすぐ下までの足の側面形状である足形台紙３４は、踝のすぐ下からすぐ上までの丈の靴下の甲部を弛ませずに保形するため、足形台紙３４を踝丈の靴下に適している。
【００９０】
本考案の実施形態及び変形例における具体的な数、形状、寸法、及び係止方法などは、例示に過ぎず、本考案の範囲を限定するものではないと理解されるべきである。
【符号の説明】
【００９１】
１，７，８，９：包装体、２：包装資材、３：係止ピン（係止具）４：タグ、４´：貫通孔、５：爪先側部分、６：踵側部分、１０：靴下、１１：爪先部、１２：踵部、１３：足底部、１４：履き口、２０：背板、２１，２７：背板本体（背板）、２２：吊下げ係合孔、２３：吊下げ具（吊下げ部）、２４：爪先側貫通孔、２５：踵側貫通孔、２６：案内線、２８：吊下げ部、３０，３４：足形台紙（型板）、３１：爪先側台紙貫通孔（貫通孔，第１貫通孔）、３２：踵側台紙貫通孔（貫通孔，第２貫通孔）、３３：開口部曲線、４０：陳列什器、４１：陳列ピン、Ａ：吊下げ軸、Ｌ：爪先の長さ、Ｈ：水平長さ、Ｖ：垂直長さ
【図１】
0003203977.tif 000003
【図２】
0003203977.tif 000004
【図３】
0003203977.tif 000005
【図４】
0003203977.tif 000006
【図５】
0003203977.tif 000007
【図６】
0003203977.tif 000008
【図７】
0003203977.tif 000009
【図８】
0003203977.tif 000010